(57)【特許請求の範囲】
【請求項１】
基礎の上部にパッキンを介して土台を載置するとともに、土台の上方に内壁材と外壁材とで仕切られた内部空間を形成し、内部空間に断熱材を収容した木造家屋において、
基礎の上部に複数個のパッキンを間隙を形成して載置するとともに、その間隙の直上方位置において土台に上下に貫通する通気孔を形成して、通気孔から内部空間を通って天井通気窓へと抜ける通気路を形成し、床板の端縁部に配置したガード板で前記断熱材の下端部を付勢することで前記断熱材の端部が前記通気孔の開口を閉塞しないようにするための通気孔閉塞防止手段を設けたことを特徴とする木造家屋。
【請求項２】
前記通気孔を土台の中央よりも外壁側の位置に形成する一方、前記断熱材を内部空間の内壁側に片寄らせて配置して、通気路を通気孔から内部空間の外壁側を通って天井通気窓へと抜けるように形成したことを特徴とする請求項１に記載の木造家屋。
【請求項３】
前記土台の外壁側下端と水切りの内側端とを面一状に配置したことを特徴とする請求項１又は請求項２に記載の木造家屋。
【発明の詳細な説明】
【技術分野】
【０００１】
本発明は、木造家屋に関するものである。
【背景技術】
【０００２】
従来の木造家屋は、地盤にコンクリート製の基礎を形成し、基礎の上部にパッキンを介して土台を載置し、土台の上方に内壁材と外壁材とで仕切られた内部空間を形成し、内部空間に断熱材を収容した構造となっている（たとえば、特許文献１参照。）。
【０００３】
特に近年の木造家屋では、室内に冷暖房設備を設置することで室内の温度や湿度を快適な状態に保持するようにしており、木造家屋の呼吸性よりも密閉性を重視する構造となっている。
【先行技術文献】
【特許文献】
【０００４】
【特許文献１】特開２００２−２７６０４２号公報
【発明の概要】
【発明が解決しようとする課題】
【０００５】
ところが、上記従来の木造家屋では、密閉性を重視するあまりに断熱材を収容した内部空間が密閉された構造となっている。
【０００６】
そのため、従来の木造家屋では、室内外の温度差によって内部空間に結露が発生し、カビが発生したり木材や断熱材が腐食してしまうおそれがあった。
【課題を解決するための手段】
【０００７】
そこで、請求項１に係る本発明では、基礎の上部にパッキンを介して土台を載置するとともに、土台の上方に内壁材と外壁材とで仕切られた内部空間を形成し、内部空間に断熱材を収容した木造家屋において、基礎の上部に複数個のパッキンを間隙を形成して載置するとともに、その間隙の直上方位置において土台に上下に貫通する通気孔を形成して、通気孔から内部空間を通って天井通気窓へと抜ける通気路を形成し、床板の端縁部に配置したガード板で前記断熱材の下端部を付勢することで前記断熱材の端部が前記通気孔の開口を閉塞しないようにするための通気孔閉塞防止手段を設けることにした。
【０００８】
また、請求項２に係る本発明では、前記請求項１に係る本発明において、前記通気孔を土台の中央よりも外壁側の位置に形成する一方、前記断熱材を内部空間の内壁側に片寄らせて配置して、通気路を通気孔から内部空間の外壁側を通って天井通気窓へと抜けるように形成することにした。
【００１０】
また、請求項３に係る本発明では、前記請求項１又は請求項２に係る本発明において、前記土台の外壁側下端と水切りの内側端とを面一状に配置することにした。
【発明の効果】
【００１１】
そして、本発明では、以下に記載する効果を奏する。
【００１２】
すなわち、本発明では、基礎の上部にパッキンを介して土台を載置するとともに、土台の上方に内壁材と外壁材とで仕切られた内部空間を形成し、内部空間に断熱材を収容した木造家屋において、基礎の上部に複数個のパッキンを間隙を形成して載置するとともに、その間隙の直上方位置において土台に上下に貫通する通気孔を形成して、通気孔から内部空間を通って天井通気窓へと抜ける通気路を形成しているために、断熱材を収容した内部空間を常時換気することができ、内部空間でのカビの発生や木材や断熱材の腐食を防止することができる。
【００１３】
特に、本発明では、パッキンの間に形成された間隙の直上方位置に通気孔を形成しているために、通気孔として土台に上下に貫通する貫通孔を形成すればよくなり、土台の強度を確保したまま容易に通気孔を加工することができる。
【００１４】
また、本発明では、通気孔を土台の中央よりも外壁側の位置に形成する一方、断熱材を内部空間の内壁側に片寄らせて配置して、通気路を通気孔から内部空間の外壁側を通って天井通気窓へと抜けるように形成した場合には、断熱材の経時的な変形によって通気路が阻害されてしまうのを防止することができる。
【００１５】
また、断熱材の端部が前記通気孔の開口を閉塞しないようにするための通気孔閉塞防止手段を設けた場合にも、断熱材の経時的な変形によって通気孔の開口が閉塞されて通気路が阻害されてしまうのを防止することができる。
【００１６】
さらに、土台の外壁側下端と水切りの内側端とを面一状に配置した場合には、外側から内側に向けて上方に傾斜する水切りに沿って外気が土台の通気路へ導かれることになり、内部空間の換気をより一層良好に行うことができる。
【図面の簡単な説明】
【００１７】
【図１】本発明に係る木造家屋を示す側面断面図。
【図２】同一部切欠斜視図。
【図３】同側面拡大断面図。
【図４】同正面拡大断面図。
【発明を実施するための形態】
【００１８】
以下に、本発明に係る木造家屋の具体的な構成について図面を参照しながら説明する。
【００１９】
図１〜図４に示すように、木造家屋１は、地盤２にコンクリート製の基礎３を形成し、基礎３の上端部に複数個のプラスチック製のパッキン４を間隔をあけて配置して、パッキン４とパッキン４との間に間隙５を形成している。
【００２０】
また、木造家屋１は、土台６の上部に１階用の柱７を左右に間隔をあけて取付けるとともに、柱７の上端部に胴差８を取付け、さらに、胴差８の上部に２階用の柱９を左右に間隔をあけて取付けるとともに、柱９の上端部に軒桁10を取付けている。
【００２１】
また、木造家屋１は、土台６の内側上部に１階用の床板11の端部を取付け、胴差８の下方に１階用の天井板12を配置し、胴差８の内側上部に２階用の床板13の端部を取付け、軒桁10の下方に２階用の天井板14を配置している。
【００２２】
さらに、木造家屋１は、１階用の柱７の内側及び２階用の柱９の内側に内壁材15,15を取付けるとともに、内壁材15,15に１階用及び２階用の天井板12,14の端部を当接させる一方、土台６、１階用の柱７、胴差８、２階用の柱９、及び軒桁10の外側に外壁材16を取付けている。
【００２３】
これにより、木造家屋１は、土台６と左右一対の１階用の柱7,7と胴差８と内壁材15と外壁材16とで囲まれた１階用の内部空間17を形成し、胴差８と左右一対の２階用の柱9,9と軒桁10と内壁材15と外壁材16とで囲まれた２階用の内部空間18を形成し、さらに、軒桁10と２階用の天井板14と外壁材16と屋根（図示省略）とで囲まれた天井空間19を形成している。
【００２４】
そして、木造家屋１は、１階用及び２階用の内部空間17,18に断熱材20を収容し、天井空間19に天井通気窓21を形成し、天井通気窓21に換気ファン22を取付けている。
【００２５】
この木造家屋１において、土台６は、パッキン４とパッキン４との間に形成された間隙５の直上方位置に上下に貫通する通気孔23を左右に間隔をあけて形成している。また、胴差８及び軒桁10にも同様に上下に貫通する通気孔24,25を形成している。
【００２６】
これにより、木造家屋１は、パッキン４の間の間隙５から外気が土台６の通気孔23から１階用の内部空間17に流入し、その後、胴差８の通気孔24から２階用の内部空間18に流入し、その後、軒桁10の通気孔25から天井空間19に流入し、その後、天井空間19から天井通気窓21を介して外部に流出する通気路26を形成している。
【００２７】
このように、上記木造家屋１は、基礎３の上部にパッキン４を介して土台６を載置するとともに、土台６の上方に内壁材15と外壁材16とで仕切られた内部空間17,18を形成し、内部空間17,18に断熱材20を収容しており、基礎３の上部に複数個のパッキン４を間隙５を形成して載置するとともに、その間隙５の直上方位置において土台６に貫通状の通気孔23を形成して、通気孔23から内部空間17,18を通って天井通気窓21へと抜ける通気路26を形成した構成となっている。
【００２８】
そのため、上記構成の木造家屋１では、通気路26に外気が流れることによって、断熱材20を収容した内部空間17,18を常時換気することができ、内部空間17,18でのカビの発生や断熱材20の腐食を防止することができる。
【００２９】
特に、上記構成の木造家屋１では、パッキン４の間に形成された間隙５の直上方位置に通気孔23を形成しているために、通気孔23として土台６に上下に貫通する貫通孔を形成すればよくなり、土台６の強度を確保したまま容易に通気孔23を加工することができる。
【００３０】
しかも、上記木造家屋１では、通気孔23,24,25を土台６、胴差８及び軒桁10の中央よりも外壁側の位置に片寄らせて形成する一方、断熱材20を固定具27で内壁材15に押圧して固定することで断熱材20を内部空間17,18の内壁側に片寄らせて配置している。
【００３１】
これにより、上記木造家屋１では、通気路26を通気孔23から内部空間17,18の外壁側を通って天井通気窓21へと抜けるように形成している。
【００３２】
そのため、上記構成の木造家屋１では、断熱材20の経時的な変形によって通気路26が阻害されてしまうのを防止することができる。
【００３３】
また、上記木造家屋１では、土台６の上部、胴差８の上下部及び軒桁10の下部において、通気孔23,24,25の開口よりも内側にに断熱材20の上下端縁部を内壁側に付勢するガード板28を取付けることによって、断熱材20の端部が通気孔23,24,25の開口を閉塞しないようにするための通気孔閉塞防止手段を形成している。なお、下側のガード板28は、１階用及び２階用の床板11,13の端縁部に配置している。
【００３４】
そのため、上記構成の木造家屋１では、断熱材20の経時的な変形によって通気孔23,24,25の開口が閉塞されて通気路26が阻害されてしまうのを防止することができる。
【００３５】
さらに、上記木造家屋１では、土台６の外壁側に水切り29を取付け、その水切り29を土台６の外壁側下端と水切り29の内側端とが面一状になるように配置している。
【００３６】
そのため、上記構成の木造家屋１では、外側から内側に向けて上方に傾斜する水切り29に沿って外気が土台６の通気孔23から通気路26へ導かれることになり、内部空間17,18の換気をより一層良好に行うことができる。
【符号の説明】
【００３７】
１  木造家屋                    ２  地盤
３  基礎                        ４  パッキン
５  間隙                        ６  土台
７  柱                          ８  胴差
９  柱                          10  軒桁
11,13  床板                     12,14  天井板
15  内壁材                      16  外壁材
17,18  内部空間                 19  天井空間
20  断熱材                      21  天井通気窓
22  換気ファン                  23,24,25  通気孔
26  通気路                      27  固定具
28  ガード板                    29  水切り
【図１】
0005645518.tif 000002
【図２】
0005645518.tif 000003
【図３】
0005645518.tif 000004
【図４】
0005645518.tif 000005